(57)【要約】  本発明は、遠位端（６９，１６９）と、近位端（６８，１６８）と、長手方向軸Ｌとを有する、歯科コンポーネント（２０，４０）のためのハンドリングツール（６０，１６０）を提供する。さらにハンドリングツール（６０，１６０）は、近位端にグリップ（６３，１６３）を備え、締結要素（３０，１３０）の係合機構（３２，１３２）と係合するための係合セクション（６１，１６１）と、締結要素（３０，１３０）によって締結されるべき歯科コンポーネント（２０，４０）を保持するための保持セクション（６２，１６２）とを備えた、グリップ（６３，１６３）の遠位方向に位置するシャフト（６５，１６５）を備える。ハンドリングツールの保持セクションは、歯科コンポーネントに対する回転を可能にするように構成される。【選択図】図３
2019516453.tif 000002
【特許請求の範囲】
【請求項１】
遠位端（６９；１６９）と、近位端（６８；１６８）と、長手方向軸（Ｌ）とを有する、歯科コンポーネント（２０；４０）のためのハンドリングツール（６０；１６０）であって、
前記近位端におけるグリップ（６３；１６３）と、
締結要素（３０；１３０）の係合機構（３２；１３２）と係合するための係合セクション（６１；１６１）と、前記締結要素（３０；１３０）によって締結されるべき前記歯科コンポーネント（２０；４０）を保持するための保持セクション（６２；１６２）とを備え、前記グリップ（６３；１６３）の遠位方向に位置するシャフト（６５；１６５）と、を具備し、
前記ハンドリングツール（６０；１６０）の前記保持セクションは、前記歯科コンポーネント（２０；４０）に対する回転を可能にするように構成されている、ハンドリングツール（６０：１６０）。
【請求項２】
前記保持セクション（６２；１６２）は、摩擦嵌合を利用して歯科コンポーネント（２０；４０）を保持するように成形されている、請求項１に記載のハンドリングツール（６０；１６０）。
【請求項３】
前記ハンドリングツールの前記係合セクション（６１；１６１）は、前記ハンドリングツール（６０）と、締結要素（３０）との間のトルクの移動を可能にするために、形状適合の幾何学形状を有する、請求項１または請求項２に記載のハンドリングツール（６０）。
【請求項４】
前記ハンドリングツールの前記係合セクション（６１；１６１）は、前記ハンドリングツール（６０）と、締結要素（３０）との間のトルクの移動を制限するために、摩擦嵌合の幾何学形状を有する、請求項１または請求項２に記載のハンドリングツール（６０）。
【請求項５】
前記グリップ（６３；１６３）の直径は、前記係合セクション（６１；１６１）の直径及び前記保持セクション（６２；１６２）の直径のいずれの一方よりも大きい、請求項１から請求項４のいずれか１項に記載のハンドリングツール（６０；１６０）。
【請求項６】
前記ハンドリングツールはさらに、中間セクション（６４）を備え、
前記中間セクション（６４）は、前記係合セクション（６１）の直径及び／または前記保持セクション（６２）の直径に至るまで前記グリップ（６３）の直径から収束している、請求項５に記載のハンドリングツール（６０；１６０）。
【請求項７】
前記シャフト（６５；１６５）は、切欠き（１６４）を含み、
前記切欠き（１６４）は詳細には、前記シャフト（６５；１６５）内を貫通しているか、または前記係合セクション（６１；１６１）によって形成されている、請求項１から請求項６のいずれか１項に記載のハンドリングツール（６０；１６０）。
【請求項８】
前記ハンドリングツール（６０；１６０）の前記長手方向軸（Ｌ）に沿った前記切欠き（１６４）の位置は、前記長手方向軸（Ｌ）に沿った前記保持セクション（６２；１６２）及び／または係合セクション（６１；１６１）の位置と少なくとも部分的に一致する、請求項７に記載のハンドリングツール（６０；１６０）。
【請求項９】
前記切欠き（１６４）の円周部は丸みが付けられている、請求項７または請求項８に記載のハンドリングツール（６０；１６０）。
【請求項１０】
材料の厚さの偏差が最小限になるように、前記ハンドリングツール（６０；１６０）内に配置された少なくとも１つの空洞（６６；１６６）をさらに備える、請求項１から請求項９のいずれか１項に記載のハンドリングツール（６０；１６０）。
【請求項１１】
前記ハンドリングツールは、固体ポリマーまたは固体ポリマー複合材料、詳細にはＰＥＥＫまたはＰＥＥＫ複合材料から少なくとも一部が作成されている、請求項１から請求項１０のいずれか１項に記載のハンドリングツール（６０；１６０）。
【請求項１２】
特に請求項１から請求項１１のいずれか１項に記載のハンドリングツール（６０；１６０）と、歯科コンポーネント（２０；４０）とを備える歯科用セットであって、
前記ハンドリングツール（６０；１６０）は、長手方向軸（Ｌ）と、前記歯科コンポーネント（２０；４０）を長手方向に保持するが、前記長手方向軸（Ｌ）を中心とした前記ハンドリングツール（６０；１６０）と、前記歯科コンポーネント（２０；４０）との間の回転を可能にする保持セクション（６２：１６２）とを有する、歯科用セット。
【請求項１３】
前記ハンドリングツール（６０；１６０）の前記保持セクション（６２；１６２）と、前記歯科コンポーネント（２０；４０）の接触セクション（２１；４１）との間の円周方向の接触は非連続である、請求項１２に記載の歯科用セット。
【請求項１４】
前記歯科コンポーネント（２０；４０）のねじ山（２３）と係合し、かつ頂端歯科コンポーネント（１０）のねじ山（１３）に締結される際、前記歯科コンポーネント（２０；４０）の前記ねじ山（２３）との係合から外れるねじ山（３１；１３１）を有する締結要素（３０；１３０）をさらに備える、請求項１２または請求項１３に記載の歯科用セット。
【請求項１５】
特に請求項１から請求項１１のいずれか１項に記載のハンドリングツール（６０；１６０）を利用して歯科用コンポーネント（２０；４０）を組み立てる方法であって、
前記ハンドリングツール（６０；１６０）の係合セクション（６１；１６１）を、締結要素（３０；１３０）の係合機構（３２；１３２）と係合状態にするステップと、
前記ハンドリングツール（６０；１６０）の保持セクション（６２；１６２）を、摩擦嵌合によって歯科コンポーネント（２０；４０）の接触セクション（２１；４１）に結合するステップと、
を含み、前記摩擦嵌合は、前記ハンドリングツール（６０；１６０）と、前記歯科コンポーネント（２０；４０）との間の相対的な回転を可能にする、方法。
【請求項１６】
前記締結要素（３０；１３０）のねじ山（３１；１３１）を前記歯科コンポーネント（２０；４０）のねじ山（２３）とねじ込み係合状態にするステップと、
好ましくは、前記締結要素の前記ねじ山（３１；１３１）を前記歯科コンポーネント（２０；４０）の前記ねじ山（２３）との係合から外し、頂端歯科コンポーネントのねじ山（１３）と係合状態にするために、前記締結要素（３０；１３０）を前記歯科コンポーネント（２０；４０）に対してさらに回転させるステップと、
を含む、請求項１５に記載の方法。
【発明の詳細な説明】
【技術分野】
【０００１】
本発明は、複数ユニットのアバットメントのためのハンドリングツール、ハンドリングツールを備えた歯科用セット、及び複数ユニットのアバットメントを歯科コンポーネントに設置するための方法に関する。本発明はまた、歯科コンポーネント及び締結要素と共に事前に組み立てられたハンドリングツールにも関する。
【背景技術】
【０００２】
インプラントが患者の上顎骨または下顎骨に植え込まれ、治癒期間または手術後すぐに骨組織に結合した後、歯科補綴物を設置するために、少なくとも１つの歯科コンポーネントがこのインプラントに装着される。歯科補綴物は、例えばアバットメント、複数ユニットのアバットメント、スペーサ及び少なくとも１つの歯の複製などの複数の歯科コンポーネントを有する場合がある。一般に、このような歯科コンポーネントをインプラントに固定するために、歯科用ねじなどの締結要素が使用される。
【０００３】
歯科コンポーネント及び歯科用ねじは一般にサイズがかなり小さいため、このようなコンポーネントを手で扱い、インプラントに固定するための器具を使用することが有利である。元々は２つの別々の器具が使用されており、１つは、歯科コンポーネントを手で扱うためのものであり、他方は、歯科用ねじをしっかり締めるためのものであった。
【０００４】
より最近では、歯科用ねじと、歯科コンポーネントの両方を扱うハンドルが導入されている。そのようなハンドルは、例えばＵＳ６，８２７，５７５Ｂ１より知られている。ここでは、スペーサ及びねじは、ホルダーに対して回転式に固定された位置でホルダーと係合される。より具体的には、スペーサは、ホルダーのスペーサ係合部に嵌め込まれ、ねじは、ホルダーのねじ係合部に嵌め込まれる。スペーサをインプラントに固定するために、ねじは、インプラントのねじ山と係合させられ、ホルダーに回転運動を加えることによってしっかり締められる。締結中、回転式に固定されたスペーサと歯科用ねじは共に、スペーサがインプラントの歯冠側に隣接するまで回転される。
【０００５】
ＵＳ６，８２７，５７５Ｂ１のハンドルは、スペーサの扱い及び装着をかなり促進させるが、そのようなハンドルは、歯科用インプラントと、歯科コンポーネントとの間に割り出し手段が存在する場合には使用することができない。割り出し手段は一般に、歯科用補綴物の所定の配向を固定するために、２つの歯科コンポーネントの間のいかなる相対的な回転も阻止することが意図されている。
【０００６】
ＵＳ６，８２７，５７５Ｂ１のハンドルを、割り出し手段を含むインプラント及びアバットメントなどの歯科コンポーネントに適用することは、これにより、歯科コンポーネントが歯科用インプラントに締結されない結果になる。歯科用インプラントと、アバットメントとの間の割り出し手段が係合状態になるとすぐに、ねじ及び歯科コンポーネントを保持するハンドルがインプラントを回し始め、これはインプラントを緩めることにつながる可能性があるため、明らかに望ましくない。
【発明の概要】
【０００７】
その結果として、本発明の目的は、歯科コンポーネントが、このような歯科コンポーネント間のいかなる回転も阻止する割り出し手段を含む場合でも、歯科コンポーネントを手で扱うこと、ならび歯科コンポーネントを別の歯科コンポーネント、例えばインプラントなどにしっかり締め付けることを可能にする器具を提供することであった。
【０００８】
別の目的は、ユーザに対して、設置プロセスについてより優れた触覚フィードバックを与えるハンドリングツールを提供することであった。同時に、本発明のねらいは、手で扱いやすくし、かつ汚染のリスクを抑えるために、歯科コンポーネントに対して事前に組み立てられた歯科用ねじのオプションを提供することであった。
【０００９】
一つの解決策として、本発明は、遠位端と、近位端と、長手方向軸とを有する、歯科コンポーネントのためのハンドリングツールを提供する。さらに、ハンドリングツールは、近位端のグリップと、グリップの遠位方向に位置するシャフトとを備える。シャフトは、締結要素の係合機構に係合するための係合セクションと、締結要素によって締結されるべき歯科コンポーネントを保持するための保持セクションとを備え、ハンドリングツールの保持セクションは、歯科コンポーネントに対する回転が可能であるように構成される。
【００１０】
締結要素は、ハンドリングツールの係合セクションと係合されることによって回転式に固定されるのに対して、歯科コンポーネントは、ハンドリングツールの保持セクションによって長手方向に解放可能に保持される。それにもかかわらず、保持セクションは、外部トルクを加えることによって、ハンドリングツールに対して円周方向で、ハンドリングツールの保持セクションと、歯科コンポーネントとの間の相対的な回転を生じさせることができるように構成される。この外部トルクは、ハンドリングツールのグリップを利用して、手または器具によって加えることができる。一方で長手方向における保持セクションと、歯科コンポーネントとの間の相互作用と、他方で円周方向における保持セクションと、歯科コンポーネントとの間の相互作用との違いは、ハンドリングツールと歯科コンポーネントを離すように引っ張ることで、これら２つの部品の間の保持が解除されるのに対して、歯科コンポーネントに対してハンドリングツールを回すことは、ハンドリングツールの保持セクションを歯科コンポーネントから切り離すことにならない点である。代わりに、ハンドリングツールは、歯科コンポーネントを保持した状態で維持する。
【００１１】
さらに、締結要素は、歯科コンポーネントに対して回転式に固定されない。結果として、歯科コンポーネントは、これらのコンポーネントの間に相対的な回転を生じさせることなく、インプラントまたはアバットメントなどの別の歯科コンポーネントに締結させることができる。その結果として、割り出し手段が存在する場合でも、歯科コンポーネントを互いに対して装着するのにハンドリングツールを使用することができる。
【００１２】
好ましい一実施形態において、保持セクションは、摩擦嵌合を利用して歯科コンポーネントを保持するように成形されている。
【００１３】
歯科コンポーネントを保持するために保持セクションにおいて摩擦を利用することは、歯科コンポーネントの上記に挙げた長手方向の装着、ならびにハンドリングツールと、歯科コンポーネントとの間の相対的な回転を可能にする。摩擦嵌合の利点の１つは、保持セクションの幾何学上の設計及び／または製造公差を調節することによって摩擦嵌合の強度の調節が容易であることである。
【００１４】
摩擦嵌合は、ハンドリングツールと、歯科コンポーネントとの間に解放可能な接続を実現するように構成される。よって、歯科コンポーネントを装着場所に誘導するために、ハンドリングツールによって歯科コンポーネントを長手方向に保持することができる。しかしながら長手方向において互いから離れるように引っ張られた場合、ハンドリングツールと、歯科コンポーネントが切り離される場合がある。摩擦嵌合のこのような解放の可能性はまた、ハンドリングツールと、歯科コンポーネントとの間の相対的な回転が起こり得る原因にもなる。
【００１５】
しかしながら２つの部品を離すように引っ張るのとは対照的に、回転は、歯科コンポーネントとハンドリングツールの離脱を生じさせることはない。代わりに、摩擦嵌合の代わりに回転が行われ、ハンドリングツールは、トルクが加えられる間、歯科コンポーネントを保持する状態を維持する。結果として、ユーザは、締結プロセスにわたって向上した制御を有する。換言すると、摩擦嵌合のおかげで、ハンドリングツールと、歯科コンポーネントとの間の接続が安定することで、ユーザは、歯科コンポーネントを別の歯科コンポーネントに締結する間、優れた制御及びフィードバックを有することになる。
【００１６】
締結要素、及びこれにより歯科コンポーネントを別の歯科コンポーネントに対してしっかりと締め付けるための締結要素の回転は、ハンドルの長手方向軸の周りにもたらされるため、保持セクションは好ましくは、実質的に回転対称であるように設計される。しかしながら、歯科コンポーネント間の摩擦嵌合及び／または形状適合の強度を調節するために、保持要素が保持セクションの面の上に設けられる場合もある。
【００１７】
別の好ましい実施形態では、ハンドリングツールの係合セクションは、ハンドリングツールと、締結要素との間のトルクの移動を可能にするために、形状適合の幾何学形状を有する。
【００１８】
形状適合の幾何学形状を利用することは、回転方向における高い強度の係合を可能にする係合セクションをハンドリングツールに提供する。換言すると、締め付け中のハンドリングツールと、歯科コンポーネントとの間のいかなるすべりのリスクも最小限になる。
【００１９】
さらに、形状適合は、歯科コンポーネントを頂端歯科コンポーネントに締結する間、ハンドリングツールの、その回転の間の規定された挙動を保証する。より具体的には、ハンドリングツールのその長手方向軸を中心とした回転が締結要素に完全に伝達される。結果として、締結要素によって歯科コンポーネントを締結する間、歯科コンポーネントに加えられる有意なトルクは存在せず、そのようなトルクは、そうでなければ、歯科コンポーネント間の相対的な回転を生じさせる可能性がある。また、ハンドリングツールから締結要素へのトルクの移動に対する制限も全くないため、ユーザは、加えられたトルクに関する直接の触覚フィードバックを有することになる。
【００２０】
別の好ましい実施形態では、ハンドリングツールの係合セクションは、ハンドリングツールと、締結要素との間のトルクの移動を制限するために、摩擦嵌合の幾何学形状を有する。
【００２１】
この実施形態では、係合セクションもまた、上記に挙げた保持セクションの上記に記載した好ましい実施形態と同様の摩擦嵌合の幾何学形状を有する。しかしながら、係合セクションによって提供される接続強度は、保持セクションによって提供される接続強度より高いため、ハンドリングツールのその長手方向軸を中心としたいかなる回転も、締結要素に伝達されることになる。
【００２２】
しかしながら締結要素が、所定の分量まで頂端歯科コンポーネントに締結された場合、ハンドリングツールの継続する回転は、締結要素に対するハンドリングツールのすべりを生じさせることになる。よって、すべりが両方のセクションにおいて、すなわち係合セクションと、保持セクションにおいて生じることになる。結果として、本実施形態は、ハンドリングツールによって加えられてよいトルクの分量が制限されることで、歯科用組立体、及び詳細には歯科用インプラントの過負荷を回避することができるという利点を有する。
【００２３】
別の実施形態において、グリップの直径は、係合セクションの直径及び保持セクションの直径のいずれの一方よりも大きい。
【００２４】
よって一方でユーザはハンドリングツールを容易に掴み、その回転ならびに加えられるトルクを制御することができる。一方で、直径がより小さい係合セクション及び保持セクションは、歯科コンポーネントが設置されるべき場所の優れた視認性を提供し、このことは、患者の口腔内での歯科コンポーネントの誘導を向上させる。
【００２５】
好ましい実施形態において、ハンドリングツールはさらに中間セクションを備える。中間セクションは、係合セクションの直径及び／または保持セクションの直径に至るまで、グリップの直径から収束する。
【００２６】
その結果として、中間セクションは、一方のグリップと、他方の係合セクション及び保持セクションとの間に配置される。ハンドリングツールは、単に直径の簡素な段差を有する代わりに直径が収束する中間セクションを有するため、固定する場所における視覚的障害物の発生が回避される。好ましくは中間セクションは、グリップから係合セクション及び／または保持セクションまで直線状に、またはハンドリングツールの長手方向軸に向かう凹面の曲率で収束することで、ハンドリングツールのグリップと、シャフトとの間に滑らかな移行部を提供する。
【００２７】
別の好ましい実施形態において、シャフトは切欠きを含み、切欠きは好ましくはシャフト内を貫通している、または係合セクションによって形成される。
【００２８】
シャフト内に切欠きを含むことは、ハンドリングツールの長手方向軸に直交する方向のシャフトの弾性を高めることができるという利点を有する。結果として、シャフトは、より大きな範囲の製造公差に適合することができる、またはさらには、異なる歯科コンポーネントにも適合することができる。
【００２９】
切欠きは、長手方向軸を横切るシャフトの円周側にある、または長手方向軸に沿って歯冠方向のシャフトの頂端部における開口から延出するシャフトの頂端部における凹部であってよい。好ましくは切欠きは、シャフトの中を貫通して伸びて貫通孔を形成する。切欠きが、シャフトの外周側に位置する場合、それは好ましくはスロットが付けられた、または細長い穴として形成される。
【００３０】
特に好ましい一実施形態では、ハンドリングツールの長手方向軸に沿った切欠きの位置は、長手方向軸に沿った保持セクション及び／または係合セクションの位置と少なくとも部分的に一致する。
【００３１】
この好ましい実施形態において、切欠きは、製造公差の点においてより大きなコンプライアンスを提供するだけでなく、保持セクション及び／または係合セクションが、歯科コンポーネント及び締結要素それぞれに与える接続強度の調節も可能にする。
【００３２】
また保持セクション及び係合セクションの一方を、保持セクション及び係合セクションの他方のための切欠きとして形成することも可能である。このことは、切欠きが追加の機構として形成されないためだけでなく、ハンドリングツールのシャフトに沿った、かつ互いに対する保持セクション及び／または係合セクションの有利な配置によっても、ハンドリングツールのさらによりコンパクトな設計を可能にする。
【００３３】
別の好ましい実施形態では、切欠きの円周部は好ましくは丸みがつけられる。
【００３４】
丸みがつけられた円周部は、締結要素を締結させる際、ハンドリングツールに加えられるトルクによって生じる高いストレスの発生を阻止する。結果として、素材が破損するリスクが低下する。さらに、ハンドリングツールの破損による患者に対する悪影響のリスクも有意に低下される。
【００３５】
別の好ましい実施形態において、ハンドリングツールはさらに、ハンドリングツール内に配置された少なくとも１つの空洞を備えることで、材料の厚さの偏差が最小限になる。
【００３６】
この実施形態では、ハンドリングツールの異なるセクションにおける材料の厚さが比較的小さい範囲内に維持されることで、ハンドリングツールを、とりわけ射出成形などの成形技術を利用して効率的に製造することができる。
【００３７】
特に好ましい一実施形態では、ハンドリングツールは、固体ポリマーまたは固体ポリマー複合材料、詳細にはＰＥＥＫまたはＰＥＥＫ複合材料から少なくとも一部が作成される。
【００３８】
ポリマーは製造するのに安価であるため、その利用は、よりコスト効果の高い治療を提供する。また、ＰＥＥＫなどのポリマーは、生体適合性であることが知られており、かつハンドリングツールを形成するために使用されるのに十分な材料強度を有する。さらに、固体ポリマー複合材料を利用することによって、材料の特性を高める、とりわけ材料強度を高めることも可能である。例えば、ＰＥＥＫを、ＴｉＯ２及び／またはファイバ、例えば硝子ファイバまたはカーボンファイバなどの充填剤と合体するＰＥＥＫ複合材料が使用されてよい。
【００３９】
さらに本発明は、ハンドリングツール、詳細には上記に記載したようなハンドリングツールと、歯科コンポーネントとを備える歯科用セットを提供し、ハンドリングツールは、長手方向軸と、歯科コンポーネントを長手方向に、すなわち長手方向軸に沿って固定された位置に保持するが、長手方向軸を中心としたハンドリングツールと、歯科コンポーネントの間の回転を可能にする保持セクションとを有する。
【００４０】
ハンドリングツール及び歯科コンポーネントは好ましくは、事前に組み立てられた歯科用セットとして歯科医などのユーザに届けられる。好ましくは歯科用セットは、滅菌済みのパッケージとして提供される。上記に記載したように、保持セクションは、歯科コンポーネントを長手方向に保持するのと同時に、これら２つの部品間の相対的な回転を可能にするのに十分な、ハンドリングツールと、歯科コンポーネントとの間の接続を提供する利点を有する。さらに、歯科コンポーネントを長手方向に保持することによって、ハンドリングツールによって締結要素にトルクを加える間の制御が向上する。
【００４１】
好ましい一実施形態において、ハンドリングツールの保持セクションと、歯科コンポーネントの接触セクションとの間の円周方向の接触が非連続であるように構成される。
【００４２】
ハンドリングツールの保持セクションと、歯科コンポーネントの接触セクションとの間の円周方向の接触は非連続であるため、ハンドリングツールと、歯科コンポーネントとの間の摩擦嵌合を所望される値に容易に調節することができる。非連続の接触を利用することはとりわけ、保持セクションにおいて生じる嵌合の強度が、係合セクションにおいて生じる嵌合の強度より小さいことを保証する特定のレベルに、摩擦嵌合を調節することを可能にする。
【００４３】
好ましくは、保持セクションと、接触セクションとの間の非連続の接触は、起伏する幾何学形状を有するセクションの一方の表面によって実現される。例えばハンドルの保持セクションは、上記に記載したように概ね円形の構成を有する外周面であり得るのに対して、歯科コンポーネントの接触セクションは、保持セクションを取り囲み、かつ起伏する構成を有する、またはその逆も同様である。起伏する幾何学形状の結果として、歯科コンポーネントの接触セクションは、所定の間隔でのみ、好ましくは規則的な間隔で保持セクションと接触する。
【００４４】
歯科用セットの別の好ましい一実施形態において、締結要素は、歯科コンポーネントのねじ山と係合するねじ山を有しており、この場合、該ねじ山は、頂端歯科コンポーネントのねじ山に締結される際、歯科コンポーネントのねじ山との係合から外れる。
【００４５】
別の歯科コンポーネントに締結されるべき歯科コンポーネントのねじ山と係合している締結要素のねじ山は、事前に組み立てられた歯科用セットの場合にとりわけ有利である。より具体的には、そのようなねじ込み係合は、ハンドリングツール及び歯科コンポーネントに対する締結要素の位置を固定する。また、歯科コンポーネントのねじ山は、締結要素をさらに回転させることによって歯科コンポーネントを頂端歯科コンポーネントに取り付ける際、少なくとも最初のうち締結要素を誘導する。
【００４６】
締結要素は、事前組立中に固定されるため、事前に組み立てられた歯科用セットを、例えば輸送することによって生じる慣性力に起因する、ハンドリングツールを歯科コンポーネントとの係合から外れるようにし得るいかなる遊びも回避される。結果として、締結要素を受けるために歯科コンポーネント内にねじ山を設けることはまた、係合セクションにおけるものより、保持セクションにおいてより小さい接続強度を提供するために、低い強度の摩擦嵌合によって保持セクションを支持する。
【００４７】
本発明はまた、ハンドリングツールを利用して、とりわけ上記に記載したハンドリングツールを利用して歯科コンポーネントを組み立てるための方法も提供する。方法は、ハンドリングツールの係合セクションを、締結要素の係合機構と係合状態にするステップと、ハンドリングツールの保持セクションを、摩擦嵌合によって歯科コンポーネントの接触セクションに結合するステップであって、該摩擦嵌合は、ハンドリングツールと、歯科コンポーネントとの間の相対的な回転を可能にするステップとを含む。
【００４８】
歯科コンポーネントを組み立てるための本発明によるこの方法は、ハンドリングツール及び歯科用セットに対して既に記載した利点を提供する。この方法はとりわけ、ハンドリングツールと、締結要素と、歯科コンポーネントとを事前に組み立てるのに使用されてよい。この事前の組み立ては、歯科用セットが治療のために歯科医院に届けられる前に行われてよい。それでもなお、方法はまた、歯科コンポーネントの患者の口への挿入及び固定に備えて歯科医院で適用される場合もある。いずれのケースでも、歯科用セットをそのようにして準備することが実現可能であることは、歯科コンポーネントを設置するのに必要とされる患者の椅子に座る時間を短縮する。
【００４９】
好ましくは、締結要素は、ハンドリングツールの保持セクションと、歯科コンポーネントの接触セクションによってハンドリングツールが歯科コンポーネントに結合される前に、歯科コンポーネントに挿入される。
【００５０】
とりわけ好ましい一実施形態では、方法はまた、締結要素のねじ山を歯科コンポーネントのねじ山とねじ込み係合状態にするステップと、好ましくは、締結要素のねじ山を歯科コンポーネントのねじ山との係合から外し、頂端歯科コンポーネントのねじ山と係合状態にするために、締結要素を歯科コンポーネントに対してさらに回転させるステップとを有する。
【００５１】
方法のこの実施形態は、事前に組み立てられた歯科用セット内にねじを固定し、ならびにねじを頂端歯科コンポーネントと係合するように誘導するという先に記載した利点を有する。
【図面の簡単な説明】
【００５２】
以下の図面は、本発明の好ましい実施形態を例示している。これらの実施形態は、限定として解釈するべきではなく、単に本発明の理解を高めるものと理解すべきである。これらの図面において、同一の参照符号は、同一の、あるいは等価な機能及び／または構造を有する構成要素を、図面を通して指している。これはまた、異なる実施形態を指す最初の数字を除いて同一の参照符号に適用される。その結果として、これらの構成要素のそれぞれの繰り返しの説明は、概ね省略される。
【００５３】
【図１】本発明によるハンドリングツールの斜視図である。
【図２】図２ａは、図１のハンドリングツールの側面図である。図２ｂはハンドリングツールの断面の側面図である。
【図３】図３ａから図３ｄは、締結要素を備える歯科コンポーネントの隣接する頂端歯科コンポーネントへの取り付け及び固定のための、先の図面のハンドリングツールの利用を示す。
【図４】図４ａから図４ｃは、保持セクションの摩擦を高めるために、保持セクションの外周面上に形成することができる保持要素の実施形態である。
【図５】本発明によるハンドリングツールの別の実施形態である。
【図６】図６ａ及び図６ｂは、図５に例示されるハンドリングツールの異なる側面図である。
【図７】図７ａ及び図７ｂは、歯科コンポーネントを、締結要素を備える別の頂端歯科コンポーネントに固定するための、図５及び図６に例示されるハンドリングツールの利用を示す、側面図及び断面図である。
【発明を実施するための形態】
【００５４】
図１、図２ａ及び図２ｂは、２つの歯科コンポーネントを互いに対して装着し、締結するための、本発明によるハンドリングツール６０の第一の実施形態を示している。歯科コンポーネントは、インプラント１０、スペーサ、アバットメント２０、４０及び／または人工歯であってよい。ハンドリングツール６０は、細長く、近位端６８と、遠位端６９とを有する。近位端６８は、グリップ６３である。グリップ６３は、ユーザにより優れた把持を提供するために、図１及び図２ａに示される長手方向の溝などの構築された円周方向の面を有してよい。
【００５５】
遠位端６９において、ハンドリングツール６０は、その外周側に保持セクション６２を備える。保持セクション６２と、把持セクション６３との間に、ハンドリングツール６０は、中間セクションを含んでよく、ここでは、ハンドリングツール６０の直径は、保持セクション６２及び／または係合セクション６１の直径に至るまで縮小する。図２に最適に見ることができるように、直径の縮小は好ましくは、長手方向軸Ｌに沿ってハンドリングツール６０の遠位方向に直線状または凹面の収束として形成される。
【００５６】
保持セクション６２は、歯科コンポーネント２０、４０を保持するためのものである。換言すると、歯科コンポーネント２０、４０が、ハンドリングツール６０に切り離し可能に結合されるように、歯科コンポーネント２０、４０は、ハンドリングツール６０の保持セクション６２に結合されてよい。保持機能は、摩擦嵌合及び／または形状適合によって達成される。どちらのケースでも、保持セクション６２は、ハンドリングツール６０の長手方向軸Ｌを中心とした歯科コンポーネント２０，４０の回転を可能にする。よって、保持セクション６２は、歯科コンポーネントに対するハンドリングツールの回転を可能にする幾何学形状、例えば概ね円形の幾何学形状を有する。
【００５７】
好ましくは、保持セクション６２は、摩擦嵌合によって歯科コンポーネント２０、４０を保持する。摩擦嵌合は、円形の外周面など、簡素な幾何学形状によって実現することができる。この方法において、摩擦嵌合が、ハンドリングツール６０に対する歯科コンポーネント２０，４０の回転を可能にする。しかしながら、例えば、保持セクション６２上に保持要素６７ａ、６７ｂ、６７ｃを含むことによって（図４を参照）、摩擦嵌合の増大した接続強度を提供することも可能である。換言すると、歯科コンポーネントが、ハンドリングツール６０の長手方向にしっかりと保持されるが、長手方向軸Ｌを中心として回転することが可能であるように、摩擦嵌合を、保持セクション６２によって提供されるべき所望される接続強度に調節することができる。
【００５８】
それにも関わらず、保持セクション６２としてスナップ嵌合の幾何学形状を含むことも可能である。これは、上記に挙げた摩擦嵌合の代替の機構、またはそれに対して相補的な機構であってよい。そのようなスナップ嵌合の幾何学形状はまた、長手方向における先に記載した保持機能だけでなく、長手方向軸Ｌを中心とした回転機能も提供する必要がある。これは、ハンドリングツール６０の保持セクション６２及び／または歯科コンポーネント２０，４０の接触セクション２１、４１上に連続する円周方向の溝または隆起を設けることによって達成されてよい。
【００５９】
ハンドリングツール６０はまた、係合セクション６１を備える。図１から図４に示されるハンドリングツール６０の実施形態において、係合セクション６１は、長手方向軸Ｌに沿ってハンドリングツール６０のシャフト６５内に延在する凹部として、ハンドリングツール６０の遠位端６９に形成される。
【００６０】
図１及び図２ｂに例示されるように、係合セクション６１は、締結要素３０を長手方向軸Ｌを中心として回転方向に係合させる幾何学形状を有する。しかしながら、係合セクション６１の幾何学形状はまた、締結要素３０の長手方向軸Ｌに沿った並進も可能にするように形成される。結果として、締結要素３０は、ハンドリングツール６０が回転される間、ハンドリングツール６０に対して遠位方向に移動し、締結要素３０は、そのねじ山３１を利用して頂端歯科コンポーネント２０，４０に徐々に係合する。
【００６１】
図１に示される例示の実施形態では、係合セクション６１は、六角形の幾何学形状を有する。しかしながら、長手方向軸Ｌを中心とする回転係合をもたらし、かつ同時に、この長手方向軸Ｌに沿った締結要素３０の並進も可能にするいかなる幾何学形状も、係合セクション６１として利用するのに適している。
【００６２】
ポリマーは、安価で高度な大量生産が可能であるため、ハンドリングツール６０、１６０は好ましくは、ＰＥＥＫなどのポリマーから作成され、ハンドリングツール６０は、使い捨ての部品として簡単に提供されてよい。
【００６３】
図２ｂに例示されるように、ハンドリングツール６０は、長手方向軸Ｌに沿ってグリップセクション６３のレベルに空洞６６を備える。この方法では、ハンドリングツール６０は、材料の厚さの偏差がより小さく、これは、例えば射出成形による製造を容易にする。好ましくは、ハンドリングツールの隣接する断面における、とりわけ段差の変化を有する場所における材料の厚さの変化は、これより薄いセクションに対して２５０％未満、好ましくは１５０％未満であり、さらにより好ましくは１００％である。同様のことが、同じ目的のために空洞１６６を含むハンドリングツール１６０にも適用される。
【００６４】
図３ａ及び図３ｂは、歯科コンポーネント２０を頂端歯科コンポーネント１０にしっかりと締め付ける作業の終了時のハンドリングツール６０の利用を、側面図と、断面の側面図それぞれとして例示している。図３において、頂端歯科コンポーネント１０は、歯科用インプラントであり、歯科コンポーネント２０はアバットメントである。歯科コンポーネントは、歯科補綴物または上部構造を構築するための任意の好適な歯科コンポーネントであり得ることが当業者によって理解される。例えば、以下にさらに詳細に記載される図７では、スリーブまたは歯冠アバットメント４０が、頂端アバットメント２０に締結される。
【００６５】
図３ｂから理解され得るように、歯科用インプラント１０は、締結要素３０の外側のねじ山３１と係合するための内側のねじ山１３を備える。図３における締結要素３０は、ねじヘッド３４と、シャフトとを含む歯科用ねじである。シャフトは、その遠位端に外側のねじ山３１を備える。ねじヘッドは、その外周上に、ハンドリングツール６０の係合セクション６１と係合するために係合機構３２を含む。それはまた、以下の図７に関連してより詳細に説明される別の締結要素１３０とのねじ込み係合のために内側のねじ山３５も備える。
【００６６】
歯科コンポーネント２０は、締結要素３０の挿入のために、その長手方向に沿ってコンポーネント内を通過する貫通孔を備える。貫通孔の歯冠端部において、歯科コンポーネント２０は、ハンドリングツール６０の保持セクション６２に結合するための接触セクション２１を含む。接触セクションは、長手方向軸Ｌに実質的に平行な内周面として形成されることで、締結要素と接触する際、並進することを可能にする。接触セクション２１の頂端部において、歯科コンポーネント２０は、歯科コンポーネント２０を、歯科コンポーネント１０に固定式に取り付けることができるようにねじ台座をさらに備える。
【００６７】
貫通孔の頂端部において、歯科コンポーネント２０は、内側のねじ山２３を備えることができる。図３ｄに例示されるように、内側のねじ山２３は、事前に組み立てられた状態で締結要素３０の外側のねじ山３１と係合するように機能する。上記に記載したように、ハンドリングツール６０、歯科コンポーネント２０及び締結要素３０は好ましくは、患者に歯科用セットを使用するための準備を与えるため、かつ治療中患者の椅子に座る時間を短縮するために事前に組み立てられる。
【００６８】
図３に示される例示の実施形態における歯科用セットの事前組み立ては、歯科コンポーネント２０の内側のねじ山２３とねじ込み係合するように締結要素３０を回転させることによって行われる。この後に、ハンドリングツール６０の係合セクション６１を、締結要素３０の係合機構３２と係合するように長手方向軸Ｌに沿ってねじヘッド３４上を移動させ、その後、ハンドリングツール６０の保持セクション６２を歯科コンポーネント２０の接触セクション２１と接触させる。この例示の実施形態では、歯科コンポーネント２０はまた、歯科コンポーネント２０及び歯科コンポーネント１０、すなわち本実施形態ではインプラントを回転方向にロックするために割り出し手段を備える。
【００６９】
この事前に組み立てられた歯科用セットはその後、患者の口腔内に移動され、歯科コンポーネント１０へと誘導される。より具体的には、歯科コンポーネント２０は、歯科コンポーネント２０を受けるための歯科コンポーネント１０の対応する凹部に誘導される。これは、図３ｄに例示される状況になる。
【００７０】
図３に示される実施形態では、締結要素３０は、歯科コンポーネント２０とのねじ込み係合状態にあるため、締結要素が、事前に組み立てられた歯科用セットから緩んで延出することはない。結果として、締結要素３０が、事前に組み立てられた歯科用セットを患者の口腔内で歯科コンポーネント１０まで誘導する邪魔をすることはない。
【００７１】
歯科コンポーネント２０を歯科コンポーネント１０に固定するために、ハンドリングツール６０をその長手方向軸Ｌに沿って回すことによって締結要素３０が回転される。結果として、締結要素３０の外側のねじ山３１は、歯科コンポーネント２０の内側のねじ山２３との係合から外れて、さらに歯科コンポーネント１０の内側のねじ山１３と係合するように頂端方向に進む。固定された、またはしっかりと締められた状態で、外側のねじ山３１は、内側のねじ山２３との係合状態から完全に外れることで、歯科コンポーネント２０の歯科コンポーネント１０に対する確実な締結が実現される。
【００７２】
一方、締結方向に回転する間、締結要素３０は、ハンドリングツール６０の係合セクション６１から出るように頂端方向に移動する。その結果として、ハンドリングツール６０の係合セクション６１と、締結要素３０の係合機構３２との間の係合は、長手方向軸Ｌを中心とした回転の点のみにおいて生じており、この長手方向軸に沿った並進の点では生じていない。
【００７３】
一方、歯科コンポーネント２０の接触セクション２１と接触しているハンドリングツール６０の保持セクション６２は、外部の力がこの方向に沿って加えられない限り、歯科コンポーネント２０を長手方向軸Ｌに沿ってハンドリングツール６０に対して固定された位置に保持するが、歯科コンポーネント２０に対するハンドリングツール６０の相対的な回転を可能にする摩擦嵌合を提供する。摩擦嵌合は、歯科コンポーネント２０の締結中にハンドリングツール６０を回転させる間、ハンドリングツール６０と、歯科コンポーネント２０との間で最小限のトルクを伝達するが、このトルクは、歯科用インプラント１０の患者の周辺の骨組織との結合性に影響を及ぼすことはない。
【００７４】
一般に、ハンドリングツール６０、１６０の長手方向軸Ｌを中心とした回転方向におけるハンドリングツール６０、１６０の保持セクション６２，１６２と、歯科コンポーネント２０，４０との間の接続の強度は、ハンドリングツール６０、１６０の係合セクション６１，１６１と、歯科コンポーネント２０，４０との間の接続の強度より小さい。
【００７５】
この強度の差は、締結要素３０と、ハンドリングツール６０との間で形状適合を利用し、ハンドリングツール６０と、歯科コンポーネント２０との間で摩擦嵌合を利用することによって、図３の実施形態において実現される。結果として、ハンドリングツール６０と、歯科コンポーネント２０の間のみにすべりが生じる可能性がある。
【００７６】
しかしながら、この事前の状態はまた、一方でハンドリングツール６０と、締結要素３０との間で、他方でハンドリングツール６０と、歯科コンポーネント２０との間（図７を参照）で摩擦嵌合を利用するケースにおいても満たすことができる。
【００７７】
締結要素３０を利用して歯科コンポーネント２０を歯科コンポーネント１０に締結した後、ハンドリングツール６０を頂端方向に引っ張ることによって、ハンドリングツール６０を容易に取り除くことができる。
【００７８】
図４に注目すると、図４は、ハンドリングツール６０の保持セクション６２上に付加的に設けられてよい３つの保持要素６７ａ、６７ｂ、６７ｃを例示している。これらの保持要素６７は、局所的に摩擦嵌合を高める、及び／またはハンドリングツール６０と歯科コンポーネント２０、４０との間に形状適合を実現する突起６７ａ、６７ｂ、６７ｃとして設けられてよい。追加としてまたは代替として、保持要素６７ａ、６７ｂ、６７ｃは、所定の摩擦嵌合及び／または形状適合を獲得するために、ハンドリングツール６０と、歯科コンポーネント２０、４０との間に規定された局所的な接触力を提供するために板ばねと同様の弾性特性を有する場合がある。
【００７９】
保持要素６７は好ましくは、保持セクション６２の外周を取り巻くように等距離に設けられる。好ましくは、１つから６つの突起、及び好ましくは２つから４つの突起が、保持セクション６２の外周面上に形成される。
【００８０】
図５は、参照符号１６０によって示される本発明によるハンドリングツールの別の実施形態を示している。以下に記載される本発明の実施形態に関連する参照符号の最初の数字から分かるように、ハンドリングツール１６０の基本構造は、先に記載したハンドリングツール６０と同様である。例えばハンドリングツール６０と同様に、ハンドリングツール１６０は、その近位端にグリップ１６３を備え、その遠位端には、保持セクション１６２と、係合セクション１６１とを含むシャフト１６５を備える。しかしながら、保持セクション１６２及び係合セクション１６１は少なくともその一部が、ハンドリングツール６０の保持セクション６２及び係合セクション６１と同じレベルには設けられず、代わりに続けて設けられている。より具体的には、係合セクション１６１は、ハンドリングツール１６０の遠位端１６９に据えられており、保持セクション１６２は、その近位方向に配置される。
【００８１】
先の図面のハンドリングツール６０の実施形態と同様に、係合セクション１６１は、トルクを加えるために、少なくとも部分的な形状適合によって締結要素１３０と係合するように構成される。図５に例示されるように、係合セクション１６１は、複数の係合サブセクション１６１ａ、１６１ｂによって形成されてよい。このような係合サブセクション１６１ａ、１６１ｂは、係合セクション１６１の円周上に配置される。この実施形態において、係合サブセクション１６１ａ、１６１ｂは平面であり、中間サブセクション１６７ａ、１６７ｂによって隔てられている。換言すると、係合サブセクション１６１ａ、１６１ｂは、好ましい規則的なパターンを形成するために、係合セクション１６１の円周を囲むように中間サブセクション１６７ａ、１６７ｂと交互に配置される。中間サブセクション１６７ａ、１６７ｂは、それらが、締結要素１３０の対応する係合機構１３２に係合しないように形成される。係合サブセクション１６１ａ、１６１ｂの数は好ましくは、中間サブセクション１６７ａ、１６７ｂの数と等しい。さらに、係合サブセクション１６１ａ、１６１ｂの数は、締結要素１３０の係合機構１３２に応じて選択される。例えば、係合機構１３２が六角形の幾何学形状によって形成される場合、好ましくは６つの平面の係合セクション１６１ａ、１６１ｂが存在する。
【００８２】
長手方向において、係合セクション１６１は、締結要素１３０をハンドリングツール１６０に接して保持するために、摩擦嵌合によって締結要素１３０と係合するように構成される。
【００８３】
係合サブセクション１６１ａ、１６１ｂは必ずしも平面である必要はないが、この幾何学形状が、締結要素１３０の係合機構１３２に少なくとも一部のみが係合することができる限り、任意の他の幾何学形状を有する場合もあることを当業者は理解するであろう。それにもかかわらず、このような係合サブセクション１６１ａ、１６１ｂは好ましくは、係合機構１３２に一部のみが係合するように形成される。この方法において、ハンドリングツールの係合セクション１６１によって加えられるトルクの分量を制限することが可能である。換言すると、係合サブセクション１６１ａ、１６１ｂを締結要素１３０の係合機構１３２に一部のみが係合するハンドリングツールに設けることは、ハンドリングツール１６０によって加えられるトルクが所定の量を超えた場合、ハンドリングツール１６０と締結要素１３０との間のすべりを可能にする。
【００８４】
また、ハンドリングツール１６０は、中間セクション６４を含まず、この場合、ハンドリングツールの直径は、グリップ１６３から保持セクション１６２及び係合セクション１６１まで連続して収束する。代わりに、グリップセクション１６３は、ハンドリングツール１６０の長手方向において相対的に短くなるように設計され、装着場所の優れた視認性を提供するため、及びとりわけより大きな補綴物の再建を容易にするために、シャフト１６５のより小さな直径への段階的な変化を有する。好ましくは、グリップセクション１６３は、近位端１６８において、長さの約半分に沿って形成される、または遠位方向におけるハンドリングツール１６０の全長より短くなるように形成される。
【００８５】
図１から図４のハンドリングツール６０に対する別の違いは、ハンドリングツール１６０の遠位端１６９付近の切欠き１６４である。切欠き１６４は、シャフト１６５の中を貫通して横方向に延在している。既に上記に記載したように、切欠き１６４を形成する凹部はまた、シャフトの弾性の調節、及びとりわけ保持セクション１６２の弾性の調節を可能にする。
【００８６】
先の実施形態のハンドリングツール６０のケースでは、そのような凹部は、係合セクション６１によって形成される場合もある。ここでは、係合セクション６１の位置もまた、２つのセクションが共にハンドリングツール６０の長手方向軸Ｌに沿って同一レベルに配置されるため、保持セクション６２の弾性を高める。
【００８７】
図５から図７の例示の実施形態では、切欠き１６４は、ハンドリングツール１６０の長手方向軸Ｌに沿って保持セクション１６２の領域内に延在する。この方法において、保持セクション１６２の弾性が高められる。また、近位端１６８に向かってシャフト１６５に沿ってさらに延びる切欠き１６４は、歯科コンポーネント４０の貫通孔の中でのハンドリングツール１６０の容易な回転を保証することができる（図７ｂを参照）。
【００８８】
ハンドリングツールの一実施形態に関連して先に記載したように、切欠き１６４は、ハンドリングツール１６０の材料の中での高い応力の発生を阻止するために、丸みがつつけられた円周部を備える。切欠き１６４は、シャフト１６５の横方向全体にわたって延在するスロットまたは細長い穴として形成されるが、切欠き１６４を形成することは、貫通孔を形成しないが、底部を有する凹部として形成するだけで十分な場合もある。そのような一実施形態では、切欠き１６４は、シャフト１６５の円周を囲むように均等になるように配置された２つ以上の凹部として好ましくは設けられる。
【００８９】
図５及び図６からさらに分かるように、保持セクション１６２は、連続する保持セクションとして形成されないが、代わりに、互いに向かい合い、切欠き１６４によって隔てられた２つの保持サブセクションを備える。
【００９０】
保持セクションを、切欠きによって隔てられてよい、または縮小された寸法を有するサブセクションの間の区域、すなわち長手方向軸Ｌに直交する方向の特定の距離によって単に隔てられた複数のサブセクションにさらに分割する。これは、歯科コンポーネント４０をハンドリングツール１６０の長手方向軸Ｌに沿って固定された位置に保持するのに必要とされる所望される値に摩擦嵌合の強度を調節し、その一方でその長手方向軸Ｌを中心とした歯科コンポーネント４０に対するハンドリングツール１６０の回転を可能にするための別のオプションである。
【００９１】
ハンドリングツール１６０の利用が、図７ａ及び図７ｂに関連して最適に説明される。先に記載したように、歯科コンポーネント４０、ハンドリングツール１６０、及び図７に示される実施形態では歯科用ねじとして形成される締結要素１３０は、事前に組み立てられた状態で患者の口の中に挿入される。歯科コンポーネント４０は、先に記載した歯科コンポーネント２０と同様の貫通孔を備えるが、その頂端部に内側のねじ山は持たない。
【００９２】
事前組み立て中、締結要素１３０が歯科コンポーネント４０に挿入され、その後にハンドリングツール１６０の保持セクション１６２が続く。締結要素１３０及びハンドリングツール１６０を、締結要素１３０がねじ台座に当接するまで頂端方向に歯科コンポーネントの貫通孔に押し込むことによって、締結要素１３０が、歯科用セットを患者の口に挿入する間、長手方向に移動するのが阻止される。その結果として、この実施形態では、ハンドリングツールの保持セクション１６２はまた、締結要素１３０を保持する機能も有しており、この機能は、先の実施形態では、締結要素３０の内側のねじ山３１によって達成される。
【００９３】
歯科用セットを配置する間、及びすなわち歯科コンポーネント４０を歯科コンポーネント２０上に配置する間、締結要素１３０は、歯科コンポーネント４０の歯冠方向で貫通孔の中に押し戻される。
【００９４】
歯科コンポーネント２０は、歯科コンポーネント４０を歯科コンポーネント２０に結合するために、上記に記載した起伏する接触セクションを備えてよい。この起伏する接触セクション２１は、これら２つのコンポーネントの間の回転を阻止するための割り出し手段として機能し得る。歯科コンポーネント２０の円周方向の接触セクション２１が起伏する幾何学形状を有する場合、図３に関連して先に記載したハンドリングツール６０と、歯科コンポーネント２０との間の摩擦嵌合は、ハンドリングツール６０の保持セクション６２の円周の周りで非連続的に確立される。上記に記載したように、これは、摩擦嵌合の接続強度を操作することを可能にする。
【００９５】
ひとたび歯科コンポーネント４０が歯科コンポーネント２０上に配置されると、ハンドリングツール１６０を回転させることによって、締結要素１３０を、締結要素３０のヘッドに配置された先に記載した締結要素３０の内側のねじ山３５とねじ込み係合するように前に進めることができる。ハンドリングツール１６０の係合セクション１６１と、ねじの係合機構１３２との間の少なくとも部分的な形状適合係合は、ハンドリングツール１６０の保持セクション１６２と、歯科コンポーネント４０の接触セクション４１との接触によって生じる接続より高い接続強度を有するため、保持セクション１６２と接触セクション４１の間のみにすべりが生じる。
【００９６】
しかしながら締結要素１３０が、所定のトルク値まで、締結要素３０の内側のねじ山３５に対して締め付けられるとすぐに、係合サブセクション１６１ａ、１６１ｂの幾何学形状及び／または寸法は、係合セクション１６１と、接触セクション１３２との間にすべりが生じることを可能にするように、先に記載したように構成されてよい。よって係る実施形態では、最大トルクに達するとすぐに生じるすべりの形態で、より優れた触覚フィードバックがハンドリングツール１６０によってユーザに提供される。この方法において、歯科コンポーネントに対する損傷、または歯科コンポーネントと、患者の組織との間の接触面に対するいかなる損傷も回避することができる。
【００９７】
締結要素１３０を締めた後、ハンドリングツール１６０を頂端方向に引っ張ることによって、ハンドリングツール１６０を容易に取り除くことができる。こうして、歯科用セットを挿入する間も、ハンドリングツールを取り除く間も、歯科用セットの構成要素が患者の口腔内で失われるリスクは存在しない。
【００９８】
本開示では、ハンドリングツール６０及び１６０は、複数ユニットのアバットメント、詳細には２つの部品のアバットメントを組み立てるために使用される。しかしながら、ハンドリングツールのいずれも、１部品のアバットメントまたは上記に挙げた任意の他の歯科コンポーネントを設置するのに使用される場合もあることは当業者にとって明らかであろう。
【００９９】
ハンドリングツール、歯科コンポーネント及び締結要素の上記に記載した実施形態は、内部機構を外部機構によって置き換えるために修正される場合もあることも当業者によって理解されるであろう。例えば、ハンドリングツール６０の係合セクション６１は、凹部の外周上に配置される場合もあり、保持セクション６２が、凹部の内周上に配置される場合もある。
【符号の説明】
【０１００】
１０  頂端歯科コンポーネントまたはインプラント
１３  内側のねじ山
２０  第１の歯科コンポーネント
２１  接触セクション
２３  内側のねじ山
２５  割り出し手段
３０  インプラントねじなどの締結要素
３１  外側のねじ山
３２  係合機構
３４  ねじヘッド
３５  内側のねじ山
４０  第２の歯科コンポーネント
４１  接触セクション
６０  ハンドリングツール
６１  係合セクション
６２  保持セクション
６３  グリップ
６４  中間セクション
６５  シャフト
６６  空洞
６７  保持要素
６８  近位端
６９  遠位端
１３０  補綴物ねじなどの締結要素
１３１  外側のねじ山
１３２  係合機構
１６０  ハンドリングツール
１６１  係合セクション
１６１ａ、１６１ｂ  係合サブセクション
１６２  保持セクション
１６３  グリップ
１６４  横方向の切欠き
１６５  シャフト
１６６  空洞
１６７ａ、ｂ  中間サブセクション
１６８  近位端
１６９  遠位端
Ｌ  長手方向軸
【図１】
2019516453.tif 000003
【図２】
2019516453.tif 000004
【図３】
2019516453.tif 000005
【図４】
2019516453.tif 000006
【図５】
2019516453.tif 000007
【図６】
2019516453.tif 000008
【図７】
2019516453.tif 000009
【手続補正書】
【提出日】平成30年11月21日(2018.11.21)
【手続補正１】
【補正対象書類名】特許請求の範囲
【補正対象項目名】全文
【補正方法】変更
【補正の内容】
【特許請求の範囲】
【請求項１】
遠位端（６９；１６９）と、近位端（６８；１６８）と、長手方向軸（Ｌ）とを有する、歯科コンポーネント（２０；４０）のためのハンドリングツール（６０；１６０）であって、
前記近位端におけるグリップ（６３；１６３）と、
前記グリップ（６３；１６３）の遠位方向に位置するシャフト（６５；１６５）と、を具備し、
前記シャフト（６５；１６５）は、締結要素（３０；１３０）の係合機構（３２；１３２）と係合するための係合セクション（６１；１６１）と、前記締結要素（３０；１３０）によって締結されるべき前記歯科コンポーネント（２０；４０）を保持するための保持セクション（６２；１６２）とを備え、
前記ハンドリングツール（６０；１６０）の前記保持セクションは、前記歯科コンポーネント（２０；４０）に対する回転を可能にするように構成されている、ハンドリングツール（６０：１６０）。
【請求項２】
前記保持セクション（６２；１６２）は、摩擦嵌合を利用して歯科コンポーネント（２０；４０）を保持するように成形されている、請求項１に記載のハンドリングツール（６０；１６０）。
【請求項３】
前記ハンドリングツールの前記係合セクション（６１；１６１）は、前記ハンドリングツール（６０）と、締結要素（３０）との間のトルクの移動を可能にするために、形状適合の幾何学形状を有する、請求項１または請求項２に記載のハンドリングツール（６０）。
【請求項４】
前記ハンドリングツールの前記係合セクション（６１；１６１）は、前記ハンドリングツール（６０）と、締結要素（３０）との間のトルクの移動を制限するために、摩擦嵌合の幾何学形状を有する、請求項１または請求項２に記載のハンドリングツール（６０）。
【請求項５】
前記グリップ（６３；１６３）の直径は、前記係合セクション（６１；１６１）の直径及び前記保持セクション（６２；１６２）の直径のいずれの一方よりも大きい、請求項１から請求項４のいずれか１項に記載のハンドリングツール（６０；１６０）。
【請求項６】
前記ハンドリングツールはさらに、中間セクション（６４）を備え、
前記中間セクション（６４）は、前記係合セクション（６１）の直径及び／または前記保持セクション（６２）の直径に至るまで前記グリップ（６３）の直径から収束している、請求項５に記載のハンドリングツール（６０；１６０）。
【請求項７】
前記シャフト（６５；１６５）は、切欠き（１６４）を含み、
前記切欠き（１６４）は詳細には、前記シャフト（６５；１６５）内を貫通しているか、または前記係合セクション（６１；１６１）によって形成されている、請求項１から請求項６のいずれか１項に記載のハンドリングツール（６０；１６０）。
【請求項８】
前記ハンドリングツール（６０；１６０）の前記長手方向軸（Ｌ）に沿った前記切欠き（１６４）の位置は、前記長手方向軸（Ｌ）に沿った前記保持セクション（６２；１６２）及び／または係合セクション（６１；１６１）の位置と少なくとも部分的に一致する、請求項７に記載のハンドリングツール（６０；１６０）。
【請求項９】
前記切欠き（１６４）の円周部は丸みが付けられている、請求項７または請求項８に記載のハンドリングツール（６０；１６０）。
【請求項１０】
材料の厚さの偏差が最小限になるように、前記ハンドリングツール（６０；１６０）内に配置された少なくとも１つの空洞（６６；１６６）をさらに備える、請求項１から請求項９のいずれか１項に記載のハンドリングツール（６０；１６０）。
【請求項１１】
前記ハンドリングツールは、固体ポリマーまたは固体ポリマー複合材料、詳細にはＰＥＥＫまたはＰＥＥＫ複合材料から少なくとも一部が作成されている、請求項１から請求項１０のいずれか１項に記載のハンドリングツール（６０；１６０）。
【請求項１２】
請求項１から請求項１１のいずれか１項に記載のハンドリングツール（６０；１６０）と、歯科コンポーネント（２０；４０）とを備える歯科用セットであって、
前記ハンドリングツール（６０；１６０）は、長手方向軸（Ｌ）と、前記歯科コンポーネント（２０；４０）を長手方向に保持するが、前記長手方向軸（Ｌ）を中心とした前記ハンドリングツール（６０；１６０）と、前記歯科コンポーネント（２０；４０）との間の回転を可能にする保持セクション（６２：１６２）とを有する、歯科用セット。
【請求項１３】
前記ハンドリングツール（６０；１６０）の前記保持セクション（６２；１６２）と、前記歯科コンポーネント（２０；４０）の接触セクション（２１；４１）との間の円周方向の接触は非連続である、請求項１２に記載の歯科用セット。
【請求項１４】
前記歯科コンポーネント（２０；４０）のねじ山（２３）と係合し、かつ頂端歯科コンポーネント（１０）のねじ山（１３）に締結される際、前記歯科コンポーネント（２０；４０）の前記ねじ山（２３）との係合から外れるねじ山（３１；１３１）を有する締結要素（３０；１３０）をさらに備える、請求項１２または請求項１３に記載の歯科用セット。
【請求項１５】
請求項１から請求項１１のいずれか１項に記載のハンドリングツール（６０；１６０）を利用して歯科用コンポーネント（２０；４０）を組み立てる方法であって、
前記ハンドリングツール（６０；１６０）の係合セクション（６１；１６１）を、締結要素（３０；１３０）の係合機構（３２；１３２）と係合状態にするステップと、
前記ハンドリングツール（６０；１６０）の保持セクション（６２；１６２）を、摩擦嵌合によって歯科コンポーネント（２０；４０）の接触セクション（２１；４１）に結合するステップと、
を含み、前記摩擦嵌合は、前記ハンドリングツール（６０；１６０）と、前記歯科コンポーネント（２０；４０）との間の相対的な回転を可能にする、方法。
【請求項１６】
前記締結要素（３０；１３０）のねじ山（３１；１３１）を前記歯科コンポーネント（２０；４０）のねじ山（２３）とねじ込み係合状態にするステップと、
好ましくは、前記締結要素の前記ねじ山（３１；１３１）を前記歯科コンポーネント（２０；４０）の前記ねじ山（２３）との係合から外し、頂端歯科コンポーネントのねじ山（１３）と係合状態にするために、前記締結要素（３０；１３０）を前記歯科コンポーネント（２０；４０）に対してさらに回転させるステップと、
を含む、請求項１５に記載の方法。
【国際調査報告】
2019516453.tif 000010
2019516453.tif 000011
2019516453.tif 000012